【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、かつ対応する遊技機における遊技にて獲得された遊技媒体数を計数する処理と、該計数された獲得遊技媒体数の範囲内の遊技媒体を対応する遊技機に払出す処理とを実行可能であり、遊技場に会員登録した各会員遊技者を個々に識別可能な会員識別情報に対応付けて前記獲得遊技媒体数を管理する管理装置と通信可能な遊技媒体計数装置と通信可能であり、
遊技機における遊技に使用可能な遊技用価値の大きさを特定可能な遊技用価値特定情報が記録された一般用記録媒体、若しくは前記会員識別情報と前記遊技用価値特定情報とが記録された会員用記録媒体のいずれか一方を受付けて、該受付けた一般用記録媒体或いは会員用記録媒体に記録されている遊技用価値特定情報を少なくとも読み出す記録媒体処理手段と、
新たに発行可能な前記一般用記録媒体を前記記録媒体処理手段に供給可能に格納する一般用記録媒体格納手段と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段と、
前記遊技媒体計数装置との通信を行う計数装置通信手段と、
前記遊技媒体計数装置と前記管理装置との通信状態が、接続状態或いは非接続状態のいずれであるかを、前記計数装置通信手段にて前記遊技媒体計数装置から受信した接続情報に基づき特定する接続状態特定手段と、
前記獲得遊技媒体数を、前記一般用記録媒体或いは会員用記録媒体により特定可能とするための特定化処理を行う特定化処理手段と、
を備える遊技用装置であって、
前記特定化処理手段は、前記記録媒体処理手段において前記一般用記録媒体を受付けた場合には、前記特定化処理として、前記接続状態特定手段により特定される通信状態に関わらず、前記記録媒体処理手段により前記獲得遊技媒体数を該一般用記録媒体に記録させる処理を行い、前記記録媒体処理手段において前記会員用記録媒体を受付けた場合には、前記接続状態特定手段により特定される通信状態が接続状態であれば、少なくとも該会員用記録媒体から前記記録媒体処理手段により読み出した会員識別情報を前記遊技媒体計数装置に送信して、該会員識別情報に対応付けて前記獲得遊技媒体数を前記管理装置で管理させる一方、前記接続状態特定手段により特定される通信状態が非接続状態であれば、受付けた該会員用記録媒体を前記記録媒体処理手段に返却させ、前記一般用記録媒体格納手段に格納されていた一般用記録媒体に、前記獲得遊技媒体数を前記記録媒体処理手段により記録させて排出させ、該一般用記録媒体の排出を報知することを特徴とする遊技用装置。
【請求項２】
遊技機に１対１に対応して設けられ、かつ対応する遊技機における遊技にて獲得された獲得遊技媒体数を、遊技場に会員登録した各会員遊技者を個々に識別可能な会員識別情報に対応付けて管理する管理装置と通信可能であり、
遊技機における遊技に使用可能な遊技用価値の大きさを特定可能な遊技用価値特定情報が記録された一般用記録媒体、若しくは前記会員識別情報と前記遊技用価値特定情報とが記録された会員用記録媒体のいずれか一方を受付けて、該受付けた一般用記録媒体或いは会員用記録媒体に記録されている遊技用価値特定情報を少なくとも読み出す記録媒体処理手段と、
新たに発行可能な前記一般用記録媒体を前記記録媒体処理手段に供給可能に格納する一般用記録媒体格納手段と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段と、
対応する遊技機における遊技にて獲得された遊技媒体数を計数する遊技媒体計数手段と、
該遊技媒体計数手段にて計数された獲得遊技媒体数の範囲内の遊技媒体を対応する遊技機に払出すための処理を行う払出手段と、
前記管理装置との通信を行う管理装置通信手段と、
該管理装置通信手段による前記管理装置との通信状態が、接続状態或いは非接続状態のいずれであるかを監視する接続状態監視手段と、
前記獲得遊技媒体数を、前記一般用記録媒体或いは会員用記録媒体により特定可能とするための特定化処理を行う特定化処理手段と、
を備える遊技用装置であって、
前記特定化処理手段は、前記記録媒体処理手段において前記一般用記録媒体を受付けた場合には、前記特定化処理として、前記接続状態監視手段により監視されている通信状態に関わらず、前記記録媒体処理手段により前記獲得遊技媒体数を該一般用記録媒体に記録させる処理を行い、前記記録媒体処理手段において前記会員用記録媒体を受付けた場合には、前記接続状態監視手段により監視されている通信状態が接続状態であれば、該会員用記録媒体から前記記録媒体処理手段により読み出した会員識別情報と前記獲得遊技媒体数とを前記管理装置に送信して、該会員識別情報に対応付けて当該獲得遊技媒体数を管理させる一方、前記接続状態監視手段により監視されている通信状態が非接続状態であれば、受付けた該会員用記録媒体を前記記録媒体処理手段に返却させ、前記一般用記録媒体格納手段に格納されていた一般用記録媒体に、前記獲得遊技媒体数を前記記録媒体処理手段により記録させて排出させ、該一般用記録媒体の排出を報知することを特徴とする遊技用装置。
【手続補正２】
【補正対象書類名】明細書
【補正対象項目名】０００７
【補正方法】変更
【補正の内容】
【０００７】
上記課題を解決するために、本発明の請求項１に記載の遊技用装置は、
遊技機（パチンコ機２）に１対１に対応して設けられ、かつ対応する遊技機における遊技にて獲得された遊技媒体数（獲得玉数）を計数する処理と、該計数された獲得遊技媒体数の範囲内の遊技媒体を対応する遊技機に払出す処理とを実行可能であり、遊技場に会員登録した各会員遊技者を個々に識別可能な会員識別情報（会員ＩＤ）に対応付けて前記獲得遊技媒体数（持玉数）を管理する管理装置（管理コンピュータ１５０）と通信可能な遊技媒体計数装置（計数・払出ユニット４）と通信可能であり、
遊技機における遊技に使用可能な遊技用価値（プリペイド残額）の大きさを特定可能な遊技用価値特定情報（プリペイド残額データ、（会員）カードＩＤ）が記録された一般用記録媒体（ビジターカード）、若しくは前記会員識別情報と前記遊技用価値特定情報とが記録された会員用記録媒体（会員カード）のいずれか一方を受付けて、該受付けた一般用記録媒体或いは会員用記録媒体に記録されている遊技用価値特定情報を少なくとも読み出す記録媒体処理手段（カードリーダライタ３２７）と、
新たに発行可能な前記一般用記録媒体を前記記録媒体処理手段に供給可能に格納する一般用記録媒体格納手段（カード貯留部３７０）と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段（制御ユニット３２８、貸出処理）と、
前記遊技媒体計数装置との通信を行う計数装置通信手段（通信部３３５）と、
前記遊技媒体計数装置と前記管理装置との通信状態が、接続（オンライン）状態或いは非接続（オフライン）状態のいずれであるかを、前記計数装置通信手段にて前記遊技媒体計数装置から受信した接続情報（上位システム接続通知、上位システム切断通知）に基づき特定する接続状態特定手段（制御ユニット３２８）と、
前記獲得遊技媒体数を、前記一般用記録媒体或いは会員用記録媒体により特定可能とするための特定化処理（計数対応処理）を行う特定化処理手段（制御ユニット３２８）と、
を備える遊技用装置であって、
前記特定化処理手段は、前記記録媒体処理手段において前記一般用記録媒体を受付けた場合には、前記特定化処理として、前記接続状態特定手段により特定される通信状態に関わらず、前記記録媒体処理手段により前記獲得遊技媒体数を該一般用記録媒体に記録させる処理を行い、前記記録媒体処理手段において前記会員用記録媒体を受付けた場合には、前記接続状態特定手段により特定される通信状態が接続状態であれば、少なくとも該会員用記録媒体から前記記録媒体処理手段により読み出した会員識別情報を前記遊技媒体計数装置に送信して、該会員識別情報に対応付けて前記獲得遊技媒体数（持玉数）を前記管理装置で管理させる一方、前記接続状態特定手段により特定される通信状態が非接続状態であれば、受付けた該会員用記録媒体を前記記録媒体処理手段に返却させ、前記一般用記録媒体格納手段に格納されていた一般用記録媒体に、前記獲得遊技媒体数（持玉数）を前記記録媒体処理手段により記録させて排出させ、該一般用記録媒体の排出を報知することを特徴としている。
この特徴によれば、接続状態特定手段により特定される通信状態が非接続状態においては、受付け中の会員用記録媒体の返却に加えて、獲得遊技媒体数が記録された一般用記録媒体が発行されるので、通信状態が非接続（オフライン）状態となっても、会員遊技者が損害を被ることを解消できる。
【手続補正３】
【補正対象書類名】明細書
【補正対象項目名】００１５
【補正方法】変更
【補正の内容】
【００１５】
本発明の請求項２に記載の遊技用装置は、
遊技機（パチンコ機２）に１対１に対応して設けられ、かつ対応する遊技機における遊技にて獲得された獲得遊技媒体数（持玉数）を、遊技場に会員登録した各会員遊技者を個々に識別可能な会員識別情報（会員ＩＤ）に対応付けて管理する管理装置と通信可能であり、
遊技機における遊技に使用可能な遊技用価値（プリペイド残額）の大きさを特定可能な遊技用価値特定情報（プリペイド残額データ、（会員）カードＩＤ）が記録された一般用記録媒体（ビジターカード）、若しくは前記会員識別情報と前記遊技用価値特定情報とが記録された会員用記録媒体（会員カード）のいずれか一方を受付けて、該受付けた一般用記録媒体或いは会員用記録媒体に記録されている遊技用価値特定情報を少なくとも読み出す記録媒体処理手段（カードリーダライタ３２７）と、
新たに発行可能な前記一般用記録媒体を前記記録媒体処理手段に供給可能に格納する一般用記録媒体格納手段（カード貯留部３７０）と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段（制御ユニット３２８、貸出処理）と、
対応する遊技機における遊技にて獲得された遊技媒体数（獲得玉数）を計数する遊技媒体計数手段（獲得玉計数器４０７）と、
該遊技媒体計数手段にて計数された獲得遊技媒体数（持玉数）の範囲内の玉数を対応する遊技機に払出すための処理を行う払出手段（玉切り払出しユニット４０２）と、
前記管理装置との通信を行う管理装置通信手段（第２通信部４０９）と、
該管理装置通信手段による前記管理装置との通信状態が、接続（オンライン）状態或いは非接続（オフライン）状態のいずれであるかを監視する接続状態監視手段（制御部４１０）と、
前記獲得遊技媒体数を、前記一般用記録媒体或いは会員用記録媒体により特定可能とするための特定化処理（計数対応処理）を行う特定化処理手段（制御ユニット３２８）と、
を備える遊技用装置であって、
前記特定化処理手段は、前記記録媒体処理手段において前記一般用記録媒体を受付けた場合には、前記特定化処理として、前記接続状態監視手段により監視されている通信状態に関わらず、前記記録媒体処理手段により前記獲得遊技媒体数（持玉数）を該一般用記録媒体に記録させる処理を行い、前記記録媒体処理手段において前記会員用記録媒体を受付けた場合には、前記接続状態監視手段により監視されている通信状態が接続状態であれば、該会員用記録媒体から前記記録媒体処理手段により読み出した会員識別情報と前記獲得遊技媒体数とを前記管理装置に送信して、該会員識別情報に対応付けて当該獲得遊技媒体数（持玉数）を管理させる一方、前記接続状態監視手段により監視されている通信状態が非接続状態であれば、受付けてた該会員用記録媒体を前記記録媒体処理手段に返却させ、前記一般用記録媒体格納手段に格納されていた一般用記録媒体に、前記獲得遊技媒体数（持玉数）を前記記録媒体処理手段により記録させて排出させ、該一般用記録媒体の排出を報知することを特徴としている。
この特徴によれば、接続状態監視手段により監視されている通信状態が非接続状態においては、受付け中の会員用記録媒体の返却に加えて、獲得遊技媒体数が記録された一般用記録媒体が発行されるので、通信状態が非接続（オフライン）状態となっても、会員遊技者が損害を被ることを解消できる。